(57)【要約】【課題】  遊技においてより遊技者にとって必要となり得る情報を鮮明に視認させることができ、且つ、簡便に製造することが可能な遊技機を提供すること。【解決手段】  筐体の前面に設けられた開口には、透明液晶パネルが設けられており、透明液晶パネルは、入射する外光を乱反射させるための凸凹が施された偏光シートを最表面に有しており、偏光シートの一部に、透明液晶パネルの透視度を向上させるための透明シートが貼付されている遊技機。【選択図】    図３
2009101017.tif 000002
【特許請求の範囲】
【請求項１】
筐体の前面に設けられた開口には、透明液晶パネルが設けられており、
前記透明液晶パネルは、入射する外光を乱反射させるための凸凹が施された偏光シートを最表面に有しており、
前記偏光シートの一部に、前記透明液晶パネルの透視度を向上させるための透明シートが貼付されていることを特徴とする遊技機。
【請求項２】
前記筐体の内部には、外周面に絵柄を有するリールが設けられており、
前記透明シートは、前記偏光シートにおける前記リールの正面側部分に貼付されていることを特徴とする請求項１に記載の遊技機。
【請求項３】
前記透明シートは、シリコンシートであることを特徴とする請求項１又は２に記載の遊技機。
【発明の詳細な説明】
【技術分野】
【０００１】
本発明は、パチスロ遊技装置、パチンコ遊技装置、スロットマシン等の遊技機に関する。
【背景技術】
【０００２】
従来、パチスロ遊技装置等の遊技機は、液晶パネルを有しており、リールの回転及び停止に伴わせて、キャラクタ等による演出を行なっている（例えば、特許文献１参照）。このような液晶パネルにおいては、照明や太陽光、人物の影等が画面に映り込んでしまう映り込みを防止するために、液晶パネルの最表面に設けられている偏光シートに凹凸を設け、反射光を乱反射させることにより映り込みを防止している（例えば、特許文献２参照）。
【０００３】
一方、従来、遊技機においては、液晶パネルにおける演出をより大きく表示して迫力ある演出を行なうために、回転リールの前面に透明液晶パネルを設置し、透明液晶パネルを介して後ろ側の回転リールを視認できるようにして、液晶パネルの表示領域を可能な限り大型化した遊技機が存在する（例えば、特許文献３参照）。
【０００４】
【特許文献１】特開２００２―５２１２２号公報
【特許文献２】特開２００２―５５２０６号公報
【特許文献３】特開２００４―２９０５１２号公報
【発明の開示】
【発明が解決しようとする課題】
【０００５】
表示される画像が視認可能であるのみではなく、その背面をも透視可能とする透明液晶パネルの場合、背面を透視不可能な通常の液晶パネルと同様に、偏光シートに凹凸を設けると、ヘイズ値が高くなり（透明液晶パネルのくもり度合いが高くなり）、背面が見え難くなるといった問題があった。
【０００６】
そこで、従来、透明液晶パネルにおいては、偏光シートに凹凸を設ける代わりに、偏光シートの表面に透明な薄膜を設け、光の干渉を利用することにより外光の反射を打ち消すＡＲコーティングを施した透明液晶パネルを用い、これにより、透明液晶パネルの背面を透視し易くしていた。しかしながら、ＡＲコーティングは、凹凸を設けるのに比べると、充分な映り込み防止効果を得られるものではなかった。
【０００７】
また、従来、透明液晶パネルにおいて、凹凸が設けられた偏光シートにシリコンシートを貼付することにより、背面を視認し易くする方法を採用する場合もあった。しかしながら、偏光シートの全面にシリコンシートを貼付していたため、製造工程において、透明液晶パネルを枠部材に組み込む前にシリコンシートを貼付しなければならなかった。そのため、シリコンシートを貼付しない透明液晶パネルとは製造工程が大きく異なることとなり、入手が困難となるとともに、コストが高くなるという問題があった。また、シリコンシートを貼付すると、透視度は向上するものの、透明液晶パネルに表示される画像の明るさ自体は全体として低下するおそれがあるといった問題があった。
【０００８】
本発明は、上述した課題に鑑みてなされたものであり、その目的は、遊技においてより遊技者にとって必要となり得る情報を鮮明に視認させることができ、且つ、簡便に製造することが可能な遊技機を提供することにある。
【課題を解決するための手段】
【０００９】
以上のような目的を達成するために、本発明は、以下のようなものを提供する。
（１）  筐体の前面に設けられた開口には、透明液晶パネルが設けられており、
上記透明液晶パネルは、入射する外光を乱反射させるための凸凹が施された偏光シートを最表面に有しており、
上記偏光シートの一部に、上記透明液晶パネルの透視度を向上させるための透明シートが貼付されていることを特徴とする遊技機。
【００１０】
（１）の発明によれば、透明液晶パネルは、入射する外光を乱反射させるための凸凹が施された偏光シートを最表面に有しており、上記偏光シートの一部に、上記透明液晶パネルの透視度を向上させるための透明シートが貼付されている。従って、透明液晶パネルに表示される画像と透明液晶パネルの背面側とのうち、遊技者に背面側をより鮮明に視認させたい部分にのみに透明シートを貼付することにより、透明シートが貼付されていない部分においては、偏光シートの凹凸により映り込みを防止して透明液晶パネルに表示される画像を見易くすることができるとともに、透明シートが貼付されている部分においては、くもりを抑えて背面を鮮明に透視することができる。その結果、遊技においてより遊技者にとって必要となり得る情報（透明シートが貼付されていない部分における透明液晶パネルに表示される画像、及び、透明シートが貼付されている部分における透明液晶パネルの背面側）を鮮明に視認させることができる。また、透明シートが貼付されていない部分においては、透明液晶パネルに表示される画像の明るさを確保することができる。
また、透明シートが偏光シートの一部に貼付されるため、当該遊技機の製造工程において、透明シートを、透明液晶パネルを枠部材に組み込んだ後であっても貼付することができる。従って、透明液晶パネルの従来の製造工程を変更せずとも、最後に透明シートを貼付すればよいため、簡便に当該遊技機を製造することができる。
【００１１】
さらに、本発明は、以下のようなものを提供する。
（２）  上記（１）に記載の遊技機であって、
上記筐体の内部には、外周面に絵柄を有するリールが設けられており、
上記透明シートは、上記偏光シートにおける上記リールの正面側部分に貼付されていることを特徴とする。
【００１２】
（２）の発明によれば、筐体の内部には、外周面に絵柄を有するリールが設けられており、上記透明シートは、上記偏光シートにおける上記リールの正面側部分に貼付されている。従って、遊技の進行において遊技者の注目の集まるリールを鮮明に視認させることができる。
【００１３】
さらに、本発明は、以下のようなものを提供する。
（３）  上記（１）又は（２）に記載の遊技機であって、
上記透明シートは、シリコンシートであることを特徴とする。
【００１４】
（３）の発明によれば、上記透明シートは、シリコンシートであるため、偏光シートへの密着性がよく、より高い透視度を得ることができる。
【発明の効果】
【００１５】
本発明によれば、遊技においてより遊技者にとって必要となり得る情報を鮮明に視認させることができ、且つ、簡便に製造することが可能な遊技機を提供することができる。
【発明を実施するための最良の形態】
【００１６】
本発明の実施形態について図面に基づいて説明する。以下においては、本発明の好適な実施形態として、本発明をパチスロ遊技装置に適用した場合について説明することとする。
【００１７】
図１は、本実施形態に係るパチスロ遊技装置の一例を模式的に示す斜視図である。
このパチスロ遊技装置１は、コイン、メダル又はトークン等の他、遊技者に付与されたか、若しくは、付与される遊技価値の情報を記憶したカード等の遊技媒体を用いて遊技を行うことが可能な遊技機であるが、以下においては、メダルを用いるものとして説明することとする。
【００１８】
パチスロ遊技装置１の全体を形成している筐体２の正面には、液晶表示装置５が設置されている。この液晶表示装置５は、透明液晶パネル３４（図示せず）を備えており、この透明液晶パネル３４は、その一部又は全部を透明／非透明の状態に切り替えることが可能であるとともに、遊技に関する演出画像を表示可能である。
【００１９】
また、液晶表示装置５の背面側には、３個の回転リール３Ｌ、３Ｃ、３Ｒが設けられている。３個の回転リール３Ｌ、３Ｃ、３Ｒは、それぞれその外周面に複数の図柄等の識別情報が表示されており、回転可能に横一列に設けられている。
【００２０】
透明液晶パネル３４の全面のうち、回転リール３Ｌ、３Ｃ、３Ｒの正面側部分には、シリコンシート２７０が貼付されている。シリコンシート２７０は、本発明における、透明液晶パネルの透視度を向上させるための透明シートに相当するものである。
【００２１】
液晶表示装置５の下方には、水平面を有する台座部１０が形成されており、台座部１０の右側には、メダル投入口２２が設けられ、台座部１０の左側には、１−ＢＥＴスイッチ１１及び最大ＢＥＴスイッチ１３が設けられている。
【００２２】
台座部１０の前面部の左寄りには、遊技者が遊技で獲得したメダルのクレジット／払い出しを押し操作により切り替える貯留メダル精算スイッチ１４が設けられている。
この貯留メダル精算スイッチ１４の切り替えにより「払い出し」が選択された場合には、正面下部のメダル払出口１５からメダルが払い出され、払い出されたメダルはメダル受部１６に溜められる。一方、「クレジット」が選択された場合には、パチスロ遊技装置１が備えるメモリ（例えば、後述するＲＡＭ４３等）にメダル数がクレジットとして記憶される。
【００２３】
貯留メダル精算スイッチ１４の右側には、遊技者の操作により回転リール３Ｌ、３Ｃ、３Ｒを回転させるためのスタートレバー６が所定の角度範囲で回動自在に取り付けられている。台座部１０の前面部中央には、３個の回転リール３Ｌ、３Ｒ、３Ｃの回転をそれぞれ停止させるための３個の停止ボタン７Ｌ、７Ｃ、７Ｒが設けられている。
【００２４】
台座部１０の前面部の右寄りには、決定ボタン２６及び取消ボタン２７が設けられている。この決定ボタン２６及び取消ボタン２７を操作することにより、液晶表示装置５の表示画面の切替に関する指示等の入力を行うことができる。
台座部１０の前面部の右寄りには、さらに、ドア開閉及び打ち止め解除装置２９が設けられており、所定の鍵をこのドア開閉及び打ち止め解除装置２９の鍵穴に差し込み、右に回すことにより前面ドアの開閉を行い、左に回すことにより打ち止め解除を行う。
【００２５】
筐体２の上方の左右には、スピーカ２１Ｌ、２１Ｒが設けられ、その２台のスピーカ２１Ｌ、２１Ｒの間には、入賞図柄の組合せ及びメダルの配当枚数等を示す配当表パネル２３が設けられている。
【００２６】
図２は、図１に示したパチスロ遊技装置が備える液晶表示装置近傍を示す拡大正面図である。
図２に示すように、液晶表示装置５の背面側には、縦長矩形の表示窓４Ｌ、４Ｃ、４Ｒが設けられており、さらにその背面側には、３個のリール３Ｌ、３Ｃ、３Ｒが回転自在に横一列に設けられている。各リール３Ｌ、３Ｃ、３Ｒの外周面には、複数の図柄からなる図柄列が描かれている。各リール３Ｌ、３Ｃ、３Ｒの図柄は、各表示窓４Ｌ、４Ｃ、４Ｒを通じて視認可能である。表示窓内に所定の図柄又は図柄の組合せが停止した際に入賞が成立し、遊技者は所定数のメダルを獲得することができる。
【００２７】
液晶表示装置５は、正面パネル３１と、正面パネル３１の裏面に設けられた透明液晶パネル３４（図示せず）とを備えている。正面パネル３１は、透明な表示窓３１ａと、絵柄が描かれた絵柄形成領域３１ｂとからなり、正面パネル３１の裏面に設けられた透明液晶パネル３４に表示される画面画像は、正面パネル３１の表示窓３１ａを介して視認可能である。図２では、透明液晶パネル３４に演出画像として花火画像３００が表示されている。
【００２８】
液晶表示装置５の左側の背面側には、遊技開始表示ランプ２５、ＷＩＮランプ１７、メダル投入ランプ２４、最大ＢＥＴランプ９ｃ、２−ＢＥＴランプ９ｂ及び１−ＢＥＴランプ９ａの各種ランプと、払出枚数表示部１８、メダル貯留枚数表示部１９及び役物作動回数表示部２０の各種表示部とが設けられている。なお、正面パネル３１の絵柄形成領域３１ｂは、上述した各種ランプと各種表示部との前方部分が透明であり、各種ランプと各種表示部とを視認可能となっている。
【００２９】
１−ＢＥＴランプ９ａ、２−ＢＥＴランプ９ｂ、最大ＢＥＴランプ９ｃは、一のゲームを行うために賭けられたメダルの数（以下、ＢＥＴ数ともいう）に応じて点灯する。一のゲームは、全ての回転リールが停止したとき、又は、メダルの払い出しが行われる場合には、メダルが払い出されたときに終了する。
【００３０】
ＷＩＮランプ１７は、ＢＢ（ビッグボーナス）又はＲＢ（レギュラーボーナス）に内部当選した場合に所定確率で点灯し、また、ＢＢ又はＲＢの入賞が成立した場合にも点灯する。遊技メダル投入ランプ２４は、メダルの投入が受け付け可能であるときに点滅する。遊技開始表示ランプ２５は、少なくとも１本のラインが有効化されたときに点灯する。
【００３１】
払出枚数表示部１８は、入賞成立時のメダルの払出枚数を表示するものであり、メダル貯留枚数表示部１９は、貯留されているメダルの枚数を表示するものであり、役物作動回数表示部２０は、ＲＢゲーム可能回数及びＲＢゲーム入賞可能回数等を表示する。これらの表示部は、７セグメント表示器からなるものである。
【００３２】
図３は、図２に示したパチスロ遊技装置のＡ−Ａ線断面図である。
図３に示すように、透明液晶パネル３４の中央部分には液晶２１６とスペーサ２１５とが配置され、この液晶２１６スペーサ２１５とを挟むように、その両側に配向膜２１７が配置されている。また、液晶２１６とスペーサ２１５とを保持するために、その周囲にはシール材２６０が設けられている。
窓部２１１に近い配向膜２１７の外側には、透明画素電極２１９ｂが配置され、その外側がガラス基板２１３となり、さらに、その外側には偏光板２１２が配置されている。
一方、窓部２１１より遠い配向膜２１７の外側には、順次、透明電極２１９ａ、カラーフィルタ２１８（ブラックマトリックス２１４）が配置され、その外側がガラス基板２１３となっており、さらに最外層に偏光板２１２が配置されている。透明液晶パネル３４の外周には、ペゼル３４ａが設けられており、透明液晶パネル３４全体が外周部分で挟持されている。
【００３３】
偏光板２１２の表面全体には、入射する外光を乱反射させるための凸凹２１２ａが施されている。また、偏光板２１２の全面のうち、回転リール３Ｌ、３Ｃ、３Ｒの正面側部分には、シリコンシート２７０が貼付されている。シリコンシート２７０は、偏光板２１２の表面に密着しており、そのため、偏光板２１２に凸凹２１２ａが設けられていることによる背面の透視度の低下を抑えることにより、シリコンシート２７０が設けられていない部分によりも透視度が向上している。従って、シリコンシート２７０が貼付されていない部分（回転リール３の正面側部分以外の部分）においては、偏光板２１２の凹凸２１２ａにより映り込みを防止して透明液晶パネル３４に表示される画像（例えば、花火画像３００（図２参照））を見易くすることができるとともに、シリコンシート２７０が貼付されている回転リール３の正面側部分においては、くもりを抑えて、遊技の進行において遊技者の注目の集まる回転リール３を鮮明に視認させることができる。
シリコンシートとしては、従来公知のものを採用することができ、例えば、株式会社西山ケミックス製の高透明液晶画面保護フィルム（［平成１９年１０月５日検索］、インターネット（ＵＲＬ：http://www.nsym-chemix.co.jp/products.html））等を挙げることができる。
【００３４】
本実施形態では、本発明の透明シートがシリコンシート２７０である場合について説明したが、本発明における透明シートは、透明液晶パネルの透視度を向上させることができるものであれば、特に限定されない。
なお、本発明において、透明シートは、シリコンシートであることが望ましい。偏光シート（偏光板）への密着性がよく、より高い透視度を得ることができるからである。
【００３５】
シリコンシート２７０は、偏光板２１２の一部（回転リール３の正面側部分のみ）に貼付されている。そのため、パチスロ遊技装置１の製造工程において、シリコンシート２７０を、透明液晶パネル３４をペゼル３４ａ（枠部材）に組み込んだ後であっても貼付することができる。従って、透明液晶パネル３４の従来の製造工程を変更せずとも、最後にシリコンシート２７０を貼付すればよいため、簡便にパチスロ遊技装置１を製造することができる。
【００３６】
図４は、図１に示したパチスロ遊技装置が備える液晶表示装置の概略構成を示す斜視図である。図５は、図４に示した液晶表示装置の一部の構成の展開図である。
液晶表示装置５は、保護ガラス３２と表示板３３とからなる正面パネル３１、透明液晶パネル３４、導光板３５、反射フィルム３６、所謂白色光源である蛍光ランプ３７ａ、３７ｂ、３８ａ、３８ｂ、ランプホルダ３９ａ〜３９ｈ、及び、透明液晶パネル駆動用のＩＣを搭載したテーブルキャリアパッケージ（ＴＣＰ）からなり、ＴＣＰは、透明液晶パネル３４の端子部に接続したフレキシブル基板（図示せず）等により構成される。
【００３７】
この液晶表示装置５は、回転リール３Ｌ、３Ｃ、３Ｒにより手前側に設けられている。また、この回転リール３Ｌ、３Ｃ、３Ｒと液晶表示装置５とは、所定の間隔をあけて設けられている。
【００３８】
保護ガラス３２及び表示板３３は、透明な部材で構成されている。表示板３３には、ＢＥＴランプ９ａ〜９ｃに対応する位置等に絵柄等が形成されている。すなわち、表示板３３の絵柄等が形成されている領域が、正面パネル３１における絵柄形成領域３１ｂであり、表示板３３の絵柄等が形成されていない領域が、正面パネル３１における表示窓３１ａである（図２参照）。なお、正面パネル３１に絵柄形成領域３１ｂを形成せず、正面パネル３１の全面を表示窓３１ａとしてもよい。この場合、表示板３３に絵柄を形成しないか、又は、表示板３３を省略すればよい。
なお、表示板３３の裏面側に配置される各種ランプ及び各種表示部を動作させる電気回路等は図示していない。
【００３９】
透明液晶パネル３４は、薄膜トランジスタ層が形成されたガラス板等の透明な基板と、これに対向する透明な基板との間隙部に液晶が封入されて形成されている。この透明液晶パネル３４の表示モードは、ノーマリーホワイトに設定されている。ノーマリーホワイトとは、液晶を駆動していない状態で白表示（表示面側に透過した光が外部より視認可能である）となる構成である。ノーマリーホワイトに構成された透明液晶パネル３４を採用することにより、液晶を駆動することができない事態が生じた場合であっても、回転リール３Ｌ、３Ｃ、３Ｒに表示された図柄等の識別情報の可変表示及び停止表示を視認することができ、遊技を継続することができる。すなわち、そのような事態が発生した場合でも、回転リール３Ｌ、３Ｃ、３Ｒに表示された識別情報の変動表示態様及び停止表示態様を中心とした遊技を行うことができる。
【００４０】
透明液晶パネル３４の外周には、ペゼル３４ａが設けられており、透明液晶パネル３４全体が外周部分で挟持されている。また、透明液晶パネル３４の表面には、入射する外光を乱反射させるための凸凹２１２ａ（図示せず）が施されており、偏光板２１２の全面のうち、回転リール３Ｌ、３Ｃ、３Ｒの正面側部分には、シリコンシート２７０が貼付されている。
【００４１】
導光板３５は、蛍光ランプ３７ａ、３７ｂからの光を透明液晶パネル３４へ導き出す（透明液晶パネル３４を照明する）ためのものであり、透明液晶パネル３４の裏側に設けられ、例えば、２ｃｍ程度の厚さを有するアクリル系樹脂等の透明部材（導光機能を有する）で構成されている。
【００４２】
反射フィルム３６は、例えば、白色のポリエステルフィルムやアルミ薄膜に銀蒸着膜を形成したものが用いられ、導光板３５に導入された光を導光板３５の正面側へ向けて反射させる。この反射フィルム３６は、反射領域３６Ａ及び非反射領域（透過領域）３６Ｂにより構成されている。
【００４３】
蛍光ランプ３７ａ、３７ｂは、導光板３５の上端部及び下端部に沿って配置され、両端はランプホルダ３９（図４参照）により支持されている。この蛍光ランプ３７ａ、３７ｂから照射される光は、反射フィルム３６の反射領域３６Ａで反射して透明液晶パネル３４を照明する。
【００４４】
蛍光ランプ３８ａ、３８ｂは、反射フィルム３６の裏側の上方位置及び下方位置に回転リール３Ｌ、３Ｃ、３Ｒに向かって配置されている。この蛍光ランプ３８ａ、３８ｂから出て回転リール３Ｌ、３Ｃ、３Ｒの表面で反射して非反射領域３６Ｂへ入射した光は、透明液晶パネル３４を照明する。
【００４５】
このように、液晶表示装置５においては、蛍光ランプ３７ａ、３７ｂから照射され、反射フィルム３６の反射領域３６Ａで反射した光と、蛍光ランプ３８ａ、３８ｂから照射され、回転リール３Ｌ、３Ｃ、３Ｒの表面で反射して非反射領域３６Ｂへ入射した光とが、透明液晶パネル３４を照明するのである。
従って、反射フィルム３６の非反射領域３６Ｂに対応する液晶表示装置５の領域は、液晶を駆動しているか否かによって、透明／非透明の状態に切り替わる領域であり、反射フィルム３６の反射領域３６Ａに対応する液晶表示装置の領域は、液晶を駆動しているか否かに拘わらず非透明状態となる。
【００４６】
パチスロ遊技装置１では、液晶表示装置の一部の領域のみが、透明／非透明の状態に切り替わる領域であるが、本発明の遊技機において、液晶表示装置の表示画面は、その全領域が透明／非透明の状態に切り替わる領域であってもよい。この場合、パチスロ遊技装置１において、液晶表示装置５の全領域を透過状態又は非透過状態に切り替わる領域とする場合、反射フィルム３６を全て非反射領域３６Ｂとするか、反射フィルム３６を省略すればよい。
【００４７】
以上、パチスロ遊技装置１によれば、透明液晶パネル３４は、入射する外光を乱反射させるための凸凹が施された偏光板２１２を最表面に有しており、偏光板２１２における回転リール４の正面側部分にシリコンシート２７０が貼付されている。従って、シリコンシート２７０が貼付されていない部分（回転リール３の正面側部分以外の部分）においては、偏光板２１２の凹凸により映り込みを防止して透明液晶パネル３４に表示される画像を見易くすることができるとともに、シリコンシート２７０が貼付されている回転リール３の正面側部分においては、くもりを抑えて、遊技の進行において遊技者の注目の集まる回転リール３を鮮明に視認させることができる。また、シリコンシート２７０が貼付されていない部分においては、透明液晶パネル３４に表示される画像の明るさを確保することができる。
また、シリコンシート２７０が偏光板２１２の一部（回転リール３の正面側部分のみ）に貼付されるため、パチスロ遊技装置１の製造工程において、シリコンシート２７０を、透明液晶パネル３４をペゼル３４ａ（枠部材）に組み込んだ後であっても貼付することができる。従って、透明液晶パネル３４の従来の製造工程を変更せずとも、最後にシリコンシート２７０を貼付すればよいため、簡便にパチスロ遊技装置１を製造することができる。
【００４８】
本実施形態では、回転リール３の正面側部分にシリコンシート２７０を貼付する場合について説明したが、本発明において透明シートを貼付する部分は、回転リールの正面側部分に限定されない。
本発明において透明シートを貼付する部分としては、例えば、演出に用いるためのその他のもの（例えば、キャラクタの人形）を透明液晶パネルの背面に配置する場合、当該部分の正面側部分に透明シートを貼付することとすればよい。このようにすることにより、透明シートが貼付されている部分における透明液晶パネル３４の背面側を鮮明に視認させることができるとともに、透明シートが貼付されていない部分における透明液晶パネル３４に表示される画像を鮮明に視認させることができるからである。
【００４９】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【００５０】
【図１】本実施形態に係るパチスロ遊技装置の一例を模式的に示す斜視図である。
【図２】図１に示したパチスロ遊技装置が備える液晶表示装置近傍を示す拡大正面図である。
【図３】図２に示したパチスロ遊技装置のＡ−Ａ線断面図である。
【図４】図１に示したパチスロ遊技装置が備える液晶表示装置の概略構成を示す斜視図である。
【図５】図４に示した液晶表示装置の一部の構成の展開図である。
【符号の説明】
【００５１】
１  パチスロ遊技装置
２  筐体
３（３Ｌ、３Ｃ、３Ｒ）  回転リール
４（４Ｌ、４Ｃ、４Ｒ）  表示窓
７（７Ｌ、７Ｃ、７Ｒ）  停止ボタン
３４  透明液晶パネル
２１２  偏光板
２１２ａ  凹凸
２７０  シリコンシート
【図１】
2009101017.tif 000003
【図２】
2009101017.tif 000004
【図３】
2009101017.tif 000005
【図４】
2009101017.tif 000006
【図５】
2009101017.tif 000007